(57)【特許請求の範囲】
【請求項１】
長手方向、短手方向及び厚さ方向を有する吸収体を含む吸収性物品であって、
前記吸収体は、一方の面及び他方の面を有し、且つ、吸収コアと、前記吸収コアを覆うことによって前記吸収体の前記一方の面及び前記他方の面を形成するコアラップと、を備え、
前記吸収コアは、前記一方の面から前記厚さ方向に窪んだ、底部を有する溝部を備え、
前記溝部が、前記長手方向に延びる主溝部と、前記主溝部を基端として前記長手方向と交差する方向に延び、終端を有する複数の従溝部とを備え、
前記主溝部及び従溝部のそれぞれの底部を形成し且つ前記厚さ方向に延在する部分の前記吸収コアの坪量は、前記吸収コアの平均坪量よりも小さく、
前記主溝部は、底部に前記吸収体の前記一方の面を形成するコアラップが接合されており、
前記複数の従溝部のそれぞれは、前記吸収体の前記一方の面を形成するコアラップを介して前記主溝部と前記基端で連結されており、前記終端の先に前記吸収コアが存在する
ことを特徴とする吸収性物品。
【請求項２】
前記主溝部の底部に圧搾部が存在する、請求項１に記載の吸収性物品。
【請求項３】
前記吸収体が、前記吸収コアの一方の面と前記コアラップとの間に、又は前記コアラップの、前記吸収コアの前記一方の面と反対側の面の上に配置された拡散シートをさらに備え、前記拡散シートが、前記主溝部とともに圧搾されることにより前記圧搾部を含む、請求項２に記載の吸収性物品。
【請求項４】
前記拡散シートが、２５ｍｍ〜６４ｍｍの平均繊維長を有する親水性繊維を含む第１繊維層と、２５ｍｍ〜６４ｍｍの平均繊維長を有する親水性繊維を含む第２繊維層と、それらの間のパルプを含むパルプ繊維層とを含む積層シートである、請求項３に記載の吸収性物品。
【請求項５】
前記拡散シートが、その厚さ方向に貫通する複数のスリット部を有する、請求項３又は４に記載の吸収性物品。
【請求項６】
前記圧搾部は、前記主溝部の底部の幅の一部を、前記主溝部に沿って連続的又は間欠的に圧搾することにより形成されたものである、請求項２〜５のいずれか一項に記載の吸収性物品。
【請求項７】
前記従溝部の幅をＷｓとし、前記主溝部の全長をＬｐとし、１本の主溝部の片側に設けられた従溝部の本数をｎとしたとき、０．０５Ｌｐ／ｎ≦Ｗｓ≦０．５０Ｌｐ／ｎを満足する、請求項１〜６のいずれか一項に記載の吸収性物品。
【請求項８】
前記主溝部が、前記吸収体の厚さの０．５〜３．０倍の幅を有する、請求項１〜７のいずれか一項に記載の吸収性物品。
【請求項９】
前記吸収体が、前記吸収体を前記短手方向に三等分する仮想線により、一端側領域、他端側領域、及びそれらの間の中央領域に区画され、前記吸収体が、前記主溝部を、前記一端側領域、他端側領域及び中央領域の全てに備える、請求項１〜８のいずれか一項に記載の吸収性物品。
【請求項１０】
前記吸収性物品が、前記長手方向において、前胴周り領域、後胴周り領域、及びそれらの間の股部領域の３領域に区画され、前記吸収体が、前記３領域に渡って配置されており、そして前記吸収体が、前記従溝部を、前記３領域の全てに備える、請求項１〜９のいずれか一項に記載の吸収性物品。
【請求項１１】
前記コアラップが、前記従溝部の底部に接合していない、請求項１〜１０のいずれか一項に記載の吸収性物品。
【請求項１２】
前記一方の面が、肌側面である、請求項１〜１１のいずれか一項に記載の吸収性物品。
【請求項１３】
前記吸収性物品の前記吸収体を含む領域が、前記長手方向及び短手方向において、５．０〜３５．０ｍＮ・ｍの曲げ剛性値を有する、請求項１〜１２のいずれか一項に記載の吸収性物品。
【発明の詳細な説明】
【技術分野】
【０００１】
本開示は、吸収性物品に関する。
【背景技術】
【０００２】
柔軟性を有しフィット性に優れる吸収性物品を提供することを目的とし、吸収体に長手方向及び幅方向に延びる溝部を形成した吸収性物品が知られている。
例えば、特許文献１には、肌当接面側に配置された表面シート、非肌当接面側に配置された裏面シート、及び両シート間に介在された吸収体を有する縦長の吸収性物品であって、前記吸収体は、相対的に坪量が高い高坪量部と、該高坪量部に隣接して相対的に坪量が低い低坪量部とを有しており、該低坪量部は、前記吸収性物品の厚み方向において肌当接面側に偏在しており、前記吸収性物品は、前記表面シート及び前記吸収体が一体的に凹陥してなり且つ該吸収性物品の長手方向に延びる溝を有しており、該溝は、前記高坪量部と前記低坪量部とに跨って形成され、且つ、該溝には、相対的に浅く凹陥している浅溝部と、相対的に深く凹陥している深溝部とが、該溝の長さ方向に沿って交互に形成されており、前記浅溝部は、前記深溝部に比して、前記溝の長さ方向の長さが長い吸収性物品が記載されている。
【先行技術文献】
【特許文献】
【０００３】
【特許文献１】特開２０１２−２４５１３０号公報
【発明の概要】
【発明が解決しようとする課題】
【０００４】
特許文献１に記載の吸収性物品では、液体を吸収する前においては、吸収体の溝部が保持されているため、吸収体の溝部を基点として適度な柔軟性を有し、フィット性に優れる。しかし、体液などの液体を吸収した後、特に複数回の液体を吸収した後においては、吸収した液体により吸収体が膨張して、溝部の幅が狭くなり、場合によっては、溝部がほぼ消失するため、溝部を基点とした柔軟性が低下し、フィット性に劣る場合があった。また、特許文献１に開示された吸収性物品では、特に複数回の液体を吸収した後においては、前記のように溝部が狭くなるか消失するため、液体が溝部を通して拡散できずに排尿口付近に集中し、吸収体の吸収性能（リウェット性）が低下してしまう場合があった。
そこで、複数回の液体を吸収した後においても溝部が狭くなりにくくするために、前記溝部の底部分にコアラップを接合することなどが考えられるが、このようなコアラップを底部分に接合した溝部を、特許文献１に記載の吸収体のように、吸収体の長手方向及び幅方向に一様に延在するように構成しようとすると、コアラップが破れる虞があり、製造上困難である。また、コアラップを底部分に接合した溝部が、長手方向又は幅方向の何れか一方に延在し、コアラップを底部分に接合していない溝部が、長手方向又は幅方向の他方に延在するように構成しようとすると、コアラップを底部分に接合していない溝部において、液体が吸収コアの内部に十分に浸透せず、リウェット性が十分に改善されない虞がある。
従って、本開示は、液体吸収前及び液体吸収後の両方におけるフィット性が高く、そしてリウェット性に優れ、着用感に優れる吸収性物品を提供することを目的とする。
【課題を解決するための手段】
【０００５】
本開示者らは、長手方向、短手方向及び厚さ方向を有する吸収体を含む吸収性物品であって、前記吸収体は、一方の面及び他方の面を有し、且つ、吸収コアと、前記吸収コアを覆うことによって前記吸収体の前記一方の面及び前記他方の面を形成するコアラップと、を備え、前記吸収コアは、前記一方の面から前記厚さ方向に窪んだ、底部を有する溝部を備え、前記溝部が、前記長手方向に延びる主溝部と、前記主溝部を基端として前記長手方向と交差する方向に延び、終端を有する複数の従溝部とを備え、前記主溝部及び従溝部のそれぞれの底部を形成し且つ前記厚さ方向に延在する部分の前記吸収コアの坪量は、前記吸収コアの平均坪量よりも小さく、前記主溝部は、底部に前記吸収体の前記一方の面を形成するコアラップが接合されており、前記複数の従溝部のそれぞれは、前記吸収体の前記一方の面を形成するコアラップを介して前記主溝部と前記基端で連結されており、前記終端の先に前記吸収コアが存在することを特徴とする吸収性物品を見出した。
【発明の効果】
【０００６】
本開示の吸収性物品は、液体吸収前及び液体吸収後の両方におけるフィット性が高く、そしてリウェット性に優れ、着用感に優れる。
【図面の簡単な説明】
【０００７】
【図１】図１は、第１実施形態に従う吸収性物品１の平面図である。
【図２】図２は、第１実施形態に従う吸収性物品１の吸収体７の平面図である。
【図３】図３は、第１実施形態に従う吸収性物品１の吸収コア９の平面図である。
【図４】図４は、第１実施形態に従う吸収性物品１の吸収体７及びの吸収コア９を示す斜視図である。
【図５】図５は、図２のＶ−Ｖ端面における端面図である。
【図６】図６は、図２のＶＩ−ＶＩ端面における端面図である。
【図７】図７は、図２のＶＩＩ−ＶＩＩ端面における端面図である。
【図８】図８は、第１実施形態に従う吸収性物品１が、液体を吸収した状態を説明するための図である。
【図９】図９は、図８のＩＸ−ＩＸ端面における端面図である。
【図１０】図１０は、主溝部に圧搾部を有しない吸収性物品を説明するための図である。
【図１１】図１１（ａ）及び図１１（ｂ）は、それぞれ第１実施形態とは別の実施形態に従う従溝部の概略図である。
【図１２】図１２は、複数の長手方向型のスリット部４１を有する拡散シート１３の平面図である。
【図１３】図１３は、テープ型使い捨ておむつの前胴周り領域、後胴周り領域及び股部領域を説明するための図である。
【発明を実施するための形態】
【０００８】
［定義］
［フィット性］
本明細書では、吸収性物品が着用者の体にフィットすることを、フィット性に優れると称する。
［リウェット性］
本明細書では、吸収された液体が液透過性シートから着用者側に戻りにくいことを、リウェット性に優れると称する。
【０００９】
［長手方向及び短手方向］
本明細書では、吸収体に関する「長手方向」及び「短手方向」は、それぞれ、吸収体の長手軸線の方向、及び長手軸線と直交する軸線（以下、「短手軸線」と称する場合がある）の方向を意味する。
【００１０】
［主溝部及びその幅］
本明細書では、長手方向に延びる「主溝部」は、上記長手軸線の方向と平行な方向に延びる溝部のみならず、概ね、長手軸線方向に延びる溝部を意味する。主溝部は、直線状、非直線状、例えば、湾曲状に延びることができる。
本明細書では、主溝部の幅は、対象部分における、主溝部が延びる方向と直交する方向における主溝部の長さを意味する。
【００１１】
［従溝部及びその幅］
本明細書では、長手方向と交差する方向に延びる「従溝部」は、上記短手軸線の方向と平行又は略平行な方向に延びる溝部のみならず、長手方向以外の方向に延びる溝部を意味する。従溝部は、直線状、非直線状、例えば、湾曲状に延びることができる。
本明細書では、従溝部の幅は、対象部分における、従溝部が延びる方向と直交する方向における従溝部の長さを意味する。
【００１２】
［前胴周り領域、後胴周り領域、及び股部領域］
本明細書では、「前胴周り領域」と、「後胴周り領域」と、「股部領域」とは、吸収性物品が使い捨ておむつである場合に用いられる用語であり、それらの意義は、以下の通りである。
［パンツ型使い捨ておむつ］
パンツ型使い捨ておむつにおいて、前胴周り領域は、前身頃のうち、前身頃及び後身頃を接合する一対の接合部に挟まれた領域を意味し、後胴周り領域は、後身頃のうち、上記一対の接合部に挟まれた領域を意味する。
【００１３】
また、パンツ型使い捨ておむつにおいて、股部領域は、前胴周り領域と、後胴周り領域との間の領域を意味する。上記股部領域はまた、一対の脚回り開口部（図１３の符号１１７）に挟まれた領域に相当する。
【００１４】
［テープ型使い捨ておむつ］
テープ型使い捨ておむつでは、図１３に示されるように、あらかじめ定められた、テープファスナ用の固定領域１１１に、一対のテープファスナ１０９の先端１１０同士が隣接するように固定した状態で、胴周り領域及び股部領域を区画する。
【００１５】
具体的には、胴周り領域（ＦＷ＋ＲＷ）は、上記のように固定した状態で、使い捨ておむつ１のうち、前身頃の胴周り形成部材１１３と、後身頃の胴周り形成部材１１４とが重複する、一対の重複部分１１５を基準に判断する。前胴周り領域ＦＷは、使い捨ておむつ１の前身頃のうち、一対の重複部分１１５の間の領域を意味する。同様に、後胴周り領域ＲＷは、使い捨ておむつ１の後身頃のうち、一対の重複部分１１５の間の領域を意味する。股部領域（Ｃ）は、前胴周り領域ＦＷと、後胴周り領域ＲＷとの間の領域を意味する。
【００１６】
本開示は、以下の態様に関する。
［態様１］
長手方向、短手方向及び厚さ方向を有する吸収体を含む吸収性物品であって、
前記吸収体は、一方の面及び他方の面を有し、且つ、吸収コアと、前記吸収コアを覆うことによって前記吸収体の前記一方の面及び前記他方の面を形成するコアラップと、を備え、
前記吸収コアは、前記一方の面から前記厚さ方向に窪んだ、底部を有する溝部を備え、
前記溝部が、前記長手方向に延びる主溝部と、前記主溝部を基端として前記長手方向と交差する方向に延び、終端を有する複数の従溝部とを備え、
前記主溝部及び従溝部のそれぞれの底部を形成し且つ前記厚さ方向に延在する部分の前記吸収コアの坪量は、前記吸収コアの平均坪量よりも小さく、
前記主溝部は、底部に前記吸収体の前記一方の面を形成するコアラップが接合されており、
前記複数の従溝部のそれぞれは、前記吸収体の前記一方の面を形成するコアラップを介して前記主溝部と前記基端で連結されており、前記終端の先に前記吸収コアが存在する
ことを特徴とする吸収性物品。
態様１に記載の吸収性物品は、液体を吸収する前と、液体を繰り返し吸収した後の両方において、吸収性物品が着用者の体にフィットする。また、吸収した液体が、主溝部を通って拡散するため、吸収した液体を吸収体の広範囲で吸収し、吸収された液体が戻りにくい（リウェット性が良い）。
さらに、従溝部が前記主溝部を基端として前記長手方向と交差する方向に延びているので、前記吸収体に供給された体液が前記従溝部に到達して長手方向以外の方向に拡散された際に、前記体液が、従溝部の終端を介して、毛細管現象により吸収コアの内部に吸収されやすくなるため、前記吸収体の吸収性（特に、吸収速度）やリウェット性を向上させることができる。従って、吸収性物品が、着用感に優れる効果を有する。
【００１７】
［態様２］
前記主溝部の底部に圧搾部が存在する、態様１に記載の吸収性物品。
［態様３］
前記圧搾部は、前記主溝部の底部の幅の一部を、前記主溝部に沿って連続的又は間欠的に圧搾することにより形成されたものである、態様２に記載の吸収性物品。
態様２及び３に記載の吸収性物品は、主溝部に圧搾部が存在するので、液体を繰り返し吸収した後も、主溝部が消失せず、主溝部を基点に折れ曲がりやすく、よりフィット性に優れる。
【００１８】
［態様４］
前記従溝部の幅をＷｓとし、前記主溝部の全長をＬｐとし、１本の主溝部の片側に設けられた従溝部の本数をｎとしたとき、０．０５Ｌｐ／ｎ≦Ｗｓ≦０．５０Ｌｐ／ｎを満足する、態様１〜３のいずれか一つに記載の吸収性物品。
態様４に記載の吸収性物品では、前記従溝部の幅が所定の範囲内にあるように設けられていると、前記吸収体に供給された体液が前記従溝部に到達して長手方向以外の方向に拡散された際に、前記体液が、区分された従溝部の終端を介して、毛細管現象により吸収コアの内部により効果的に吸収されやすくなるため、前記吸収体の吸収性（特に、吸収速度）やリウェット性をより一層向上させることができる効果を有する。
【００１９】
［態様５］
前記主溝部が、前記吸収体の厚さの０．５〜３．０倍の幅を有する、態様１〜３のいずれか一つに記載の吸収性物品。
態様５に記載の吸収性物品では、液体を繰り返し吸収した後であっても、主溝部がその形状を保持しやすい。その結果、液体を吸収する前と、液体を繰り返し吸収した後の両方において、吸収性物品が着用者の体にフィットする。また、吸収した液体が、主溝部と、従溝部を通って拡散するため、吸収した液体を吸収体の広範囲で吸収し、吸収された液体が戻りにくく、着用感に優れる効果を有する。
【００２０】
［態様６］
前記吸収体が、前記吸収体を前記短手方向に三等分する仮想線により、一端側領域、他端側領域、及びそれらの間の中央領域に区画され、前記吸収体が、前記主溝部を、前記一端側領域、他端側領域及び中央領域の全てに備える、態様１〜５のいずれか一つに記載の吸収性物品。
態様６に記載の吸収性物品では、主溝部が、吸収体の広範囲に配置されているので、液体を吸収する前と、液体を繰返し吸収した後とにおいて、吸収性物品がフィット性に優れる。また、吸収された液体が、主溝部を通って吸収体の広範囲に拡散され、吸収体の広範囲で吸収されるため、吸収性物品が、吸収された液体が戻りにくい。その結果、吸収性物品が着用感に優れる効果を有する。
【００２１】
［態様７］
前記吸収性物品が、前記長手方向において、前胴周り領域、後胴周り領域、及びそれらの間の股部領域の３領域に区画され、前記吸収体が、前記３領域に渡って配置されており、そして前記吸収体が、前記従溝部を、前記３領域の全てに備える、態様１〜６のいずれか一つに記載の吸収性物品。
態様７に記載の吸収性物品では、従溝部が、吸収体の広範囲に配置されているので、液体を吸収する前と、液体を繰返し吸収した後とにおいて、吸収性物品がフィット性に優れる。また、吸収された液体が、吸収回数が増えるにつれて、狭くなるか、又はほぼ消失した従溝部の基端を通過しつつ主溝部を通って吸収体の広範囲に徐々に拡散され、吸収体の広範囲で吸収されるため、吸収された液体が戻りにくい。その結果、吸収性物品が、着用感に優れる効果を有する。
【００２２】
［態様８］
前記コアラップが、前記従溝部の底部に接合していない、態様１〜７のいずれか一つに記載の吸収性物品。
態様８に記載の吸収性物品では、吸収された液体が、主溝部を通って吸収体の長手方向に拡がり、次いで、コアラップを透過した液体が、従溝部を通って吸収体の長手方向以外の方向に拡がり、従溝部の終端で吸収コアに吸収される。その結果、吸収された液体が、吸収体の広範囲に拡散され、吸収体の広範囲で吸収されるため、吸収された液体が戻りにくい。従って、吸収性物品が、吸収された液体が戻りにくい効果を有する。
【００２３】
［態様９］
前記一方の面が、肌側面である、態様１〜８のいずれか一つに記載の吸収性物品。
態様９に記載の吸収性物品では、吸収された液体が、肌側面に配置された主溝部及び／又は従溝部を通って吸収体の広範囲に迅速に拡散され、そして吸収体の広範囲で迅速に吸収されるため、吸収された液体が戻りにくい。また、吸収体が、少なくとも主溝部を基点として、着用者の体の立体形状に沿って変形しやすくなるため、吸収性物品がフィット性に優れる。従って、吸収性物品が、着用感に優れる効果を有する。
【００２４】
［態様１０］
前記吸収体が、前記吸収コアの一方の面と前記コアラップとの間に、又は前記コアラップの、前記吸収コアの前記一方の面と反対側の面の上に配置された拡散シートをさらに備え、前記拡散シートが、前記主溝部とともに圧搾されることにより前記圧搾部を含む、態様２〜９のいずれか一つに記載の吸収性物品。
態様１０に記載の吸収性物品では、吸収性物品が繰り返し液体を吸収した際に、液体が、拡散シートにより、吸収体の長手方向により拡散されるので、吸収した液体が、吸収体の広範囲に拡散され、そして吸収体の広範囲で吸収されるため、吸収された液体が戻りにくい。また、拡散シートが主溝部の他の構成要素と共に圧搾されているため、吸収性物品（吸収体）が繰り返し液体を吸収した後であっても、主溝部がその形状を保持しやすく、吸収性物品が液体を繰り返し吸収した後であっても、吸収性物品がフィット性に優れる。その結果、吸収性物品が着用感に優れる効果を有する。
【００２５】
［態様１１］
前記拡散シートが、２５ｍｍ〜６４ｍｍの平均繊維長を有する親水性繊維を含む第１繊維層と、２５ｍｍ〜６４ｍｍの平均繊維長を有する親水性繊維を含む第２繊維層と、それらの間のパルプを含むパルプ繊維層とを含む積層シートである、態様１０に記載の吸収性物品。
態様１１に記載の吸収性物品では、拡散シートが特定の構成を有し、液体を拡散させる性能に優れるため、吸収された液体が、吸収体の広範囲に拡散し、吸収性物品が液体を繰り返し吸収した後において、吸収された液体が戻りにくい効果を有する。
【００２６】
［態様１２］
前記拡散シートが、その厚さ方向に貫通する複数のスリット部を有する、態様１０又は１１に記載の吸収性物品。
態様１２に記載の吸収性物品は、主溝部が圧搾部を備え、コアラップ及び拡散シートが、主溝部に入り込んでいるため、吸収体の主溝部の剛性が、特に、吸収体が繰り返し液体を吸収した後に高くなりやすい。従って、拡散シートが複数のスリット部を有すると、拡散シートそのものの剛性が低下し、吸収性物品がフィット性に優れる効果を有する。
【００２７】
［態様１３］
前記吸収性物品の前記吸収体を含む領域が、前記長手方向及び短手方向において、５．０〜３５．０ｍＮ・ｍの曲げ剛性値を有する、態様１〜１２のいずれか一つに記載の吸収性物品。
態様１３に記載の吸収性物品は、所定の曲げ剛性を有するため、柔軟性に優れる。従って、態様１３に記載の吸収性物品は、フィット性に優れる効果を有する。
【００２８】
本開示の吸収性物品について、以下、詳細に説明する。
図１〜図７は、本開示の実施形態の１つ（第１実施形態）に従う吸収性物品１、具体的には、使い捨ておむつを説明するための図である。具体的には、図１は、第１実施形態に従う吸収性物品１の平面図である。図２は、第１実施形態に従う吸収性物品１の吸収体７の平面図である。図３は、第１実施形態に従う吸収性物品１の吸収コア９の平面図である。図４は、第１実施形態に従う吸収性物品１の吸収体７及びの吸収コア９を示す斜視図である。図５〜図７は、それぞれ、図２における、Ｖ−Ｖ端面、ＶＩ−ＶＩ端面、及びＶＩＩ−ＶＩＩ端面における端面図である。
【００２９】
第１実施形態に示される吸収性物品１は、図１に示されるように、液透過性シート３と、液不透過性シート５と、液透過性シート３及び液不透過性シート５の間の吸収体７とを含む。
図２に示されるように、吸収体７は、長手方向ＬO及び短手方向ＬAを有し、肌側面１５及び着衣側面１７を有する吸収コア９と、吸収コア９の肌側面１５及び着衣側面１７を覆うコアラップ１１と、吸収コア９の肌側面１５及びコアラップ１１の間に配置された拡散シート１３とを備える。
なお、第１実施形態では、吸収性物品１が、吸収体７と同一の長手方向ＬO及び短手方向ＬAを有する。
【００３０】
図３〜６に示されるように、吸収コア９は、肌側面１５から、吸収コア９の厚さ方向に窪んだ底部２０、２２を有する溝部１８を備え、溝部１８は、主溝部１９と複数の従溝部２１とを含む。前記主溝部１９及び従溝部２１のそれぞれの底部２０、２２を形成し且つ前記厚さ方向に延在する部分の前記吸収コア９の坪量は、吸収コア９の平均坪量よりも小さい。以下、この坪量の小さい吸収コア９の部分を、「低坪量領域」ということがある。
【００３１】
以下、主溝部１９及び従溝部２１について、更に詳細に説明する。
図３〜図６に示されるように、主溝部１９は、肌側面１５から、吸収コア９の厚さ方向に窪んでおり且つ長手方向ＬOに延びている。また、従溝部２１は、肌側面１５から、吸収コア９の厚さ方向に窪んでおり且つ短手方向ＬAに延びている。
図２〜図４に示されるように、従溝部２１のそれぞれは、複数の主溝部１９と交差し、コアラップ１１を介して主溝部１９と基端２４で連結しており、終端２５の先に吸収コア９が存在している。
【００３２】
また、主溝部１９には、図２〜図６に示されるように、コアラップ１１と主溝部１９の底部２０とを接合する接合部として、圧搾部２３が存在する。圧搾部２３は、主溝部１９の底部２０の幅の一部を、吸収体７の厚さ方向に、主溝部１９に沿って間欠的に圧搾することにより形成されたものである。
さらに、主溝部１９では、図５及び図６に示されるように、コアラップ１１が、拡散シート１３を間に挟んで、主溝部１９の底部２０に接合されている。本第１実施形態における圧搾部２３は、２枚のコアラップ１１と、拡散シート１３と、吸収コア９（主溝部１９の幅の一部）とを圧搾することにより形成されている。
【００３３】
また、本第１実施形態において、吸収体７は、図２に示されるように、吸収体７を短手方向ＬAに３等分する、２つの仮想線ＶＬ1及びＶＬ2により、右側領域ＲＡと、左側領域ＬＡと、右側領域ＲＡ及び左側領域ＬＡの中央領域ＣＡとに区画され、吸収体７は、主溝部１９を、右側領域ＲＡ、左側領域ＬＡ及び中央領域ＣＡの全てに備える。
【００３４】
さらに、本第１実施形態において、吸収性物品１は、図１に示されるように、長手方向ＬOにおいて、前胴周り領域ＦＷと、後胴周り領域ＲＷと、前胴周り領域ＦＷ及び後胴周り領域ＲＷの間の股部領域Ｃとの３領域に区画され、そして吸収体７は、上記３領域に渡って配置されている。そして、吸収体７は、従溝部２１を、３領域の全てに備えている。
【００３５】
第１実施形態では、図６及び図７に示されるように、従溝部２１では、コアラップ１１及び拡散シート１３が、従溝部２１の底部２２に接合されていない。すなわち、従溝部２１は、コアラップ１１及び拡散シート１３と、吸収コア９との間に形成されている。
【００３６】
なお、第１実施形態では、図１に示されるように、吸収性物品１が、弾性部材１０３を含む一対の防漏壁１０１、防漏壁１０１を液透過性シート３に固定するための固定部１０５、弾性部材１０７、テープファスナ１０９等を有するが、これらは、当技術分野で公知のものであるため、説明を省略する。
【００３７】
以下、本開示の吸収性物品が、液体を吸収する前及び液体を吸収した後の両方におけるフィット性に優れ、そしてリウェット性に優れ、着用感に優れることを、第１実施形態を用いて説明する。
図８は、第１実施形態に従う吸収性物品１が、液体を吸収した状態を説明するための図であり、図２に相当する図である。図９は、図８のＩＸ−ＩＸ端面における端面図である。
【００３８】
図８に示されるように、吸収体７に到達した液体３１は、以下の通り、吸収体に吸収された液体３３を形成する。
（ｉ）吸収体７に到達した液体３１が、吸収体７の肌側面１５の主溝部１９を通って、吸収体７の長手方向ＬOに拡散する。
（ｉｉ）長手方向ＬOに拡散した液体３１が、コアラップ１１及び拡散シート１３を透過し、吸収体７の内部に浸透する。
（ｉｉｉ）吸収体７の内部に浸透した液体３１が、吸収コア９と、コアラップ１１及び拡散シート１３との間に形成された従溝部２１を通って、吸収体７の短手方向ＬAに拡散する。
（ｉｖ）短手方向ＬAに拡散した液体３１が、終端２５から毛細管現象により吸収コア９に吸収され、吸収された液体３３を形成する。
（ｖ）短手方向ＬAに吸収された液体３３により、従溝部２１が、液体３３の量に対応して狭くなるか、又はほぼ消失する。
（ｖｉ）吸収体７に液体３１がさらに到達すると、狭くなるか、又はほぼ消失した従溝部２１の基端を通過しつつ、主溝部１９を通って、吸収体７の長手方向ＬOにさらに拡散する。
（ｖｉｉ）上記（ｉｉ）〜（ｖｉ）を繰り返す。
上記したように、主溝部１９は、底部２０に、コアラップ１１及び拡散シート１３が接合されているため、主溝部１９は、液体を吸収した後であっても、更には液体を繰り返し吸収した場合であっても、主溝部１９内に、コアラップ１１及び拡散シート１３が留まり、その形状を保持しやすくなっている。
【００３９】
従って、吸収性物品１が、繰り返し液体を吸収した場合であっても、吸収体７に到達した液体３１が、主溝部１９を通って、吸収体７の広範囲に拡散し、吸収体７の広範囲で吸収される。その結果、吸収性物品１では、吸収体７に吸収された液体が、液透過性シート３の表面に戻りにくく、リウェット性に優れる。
【００４０】
さらに、主溝部１９は、上記の通り、吸収性物品１が液体を繰り返し吸収した後であっても、その形状を保持しやすいため、吸収性物品１は、液体を吸収する前だけでなく、液体を繰り返し吸収した後であっても、主溝部１９を基点に折れ曲がりやすく、フィット性にも優れる。その結果、吸収性物品１は、液体を吸収する前と、液体を吸収した後（特に、繰り返し液体を吸収した後）の両方において、着用感に優れる。特に、接合部が圧搾部によって形成されていると、液体を繰り返し吸収した後も、主溝部１９が消失せず、主溝部１９を基点に折れ曲がりやすく、よりフィット性に優れる。
【００４１】
ここで、主溝部に、接合部として圧搾部を形成することの意義について説明する。
図１０は、主溝部に圧搾部を有しない吸収性物品を説明するための図である。図１０は、図８のＩＸ−ＩＸ端面に相当する端面図である。図１０に示される吸収性物品は、主溝部に圧搾部を有していないこと以外は、第１実施形態と同様である。
【００４２】
図１０に示されるように、主溝部１９に圧搾部を有していない吸収性物品では、吸収体７が液体を吸収すると、主溝部１９が、吸収された液体の量に対応して狭くなるか、又はほぼ消失してしまうので、吸収体７に到達した液体が、主溝部１９を通って、吸収体７の長手方向ＬOに拡散しにくくなる上、吸収性物品１が、主溝部１９を基点に折れ曲がりにくくなり、さらに、液体を吸収するにつれて、フィット性に劣るようになる。
【００４３】
上記の第１実施形態では、主溝部１９が、吸収コアの肌側面に形成されているが、本開示の吸収性物品では、これに限定されず、主溝部は、吸収コアの一方の面に形成されている。上記一方の面としては、吸収コアの肌側面又は着衣側面が挙げられる。
主溝部１９が、吸収コアの着衣側面に形成されていると、吸収コアの着衣側面に到達した液体が、主溝部１９を通って、長手方向に拡散されやすくなる。
【００４４】
また、上記の第１実施形態では、従溝部２１は、吸収コアの肌側面に形成されているが、本開示の吸収性物品では、従溝部は、吸収コアの一方の面又は他方の面に形成されている。ただし、主溝部１９及び従溝部２１は、同一面に存在していることが必要である。主溝部１９及び従溝部２１が、同一面に存在していると、主溝部１９を通って長手方向に拡散した液体を、迅速に短手方向に拡散させ、液体を吸収体の広範囲で吸収させることができる。
【００４５】
さらに、上記の第１実施形態では、主溝部１９が、主溝部１９の底部２０の幅の一部を、主溝部１９に沿って間欠的に圧搾することにより形成された圧搾部２３を含む。圧搾部をこのように間欠的に形成することにより、着用者が、圧搾部の硬さを感じにくくなる。
【００４６】
本開示の別の実施形態に従う吸収性物品では、主溝部が、主溝部の幅の一部を、長手方向に連続的に圧搾することにより形成された圧搾部を含む。圧搾部をこのように連続的に形成することにより、吸収性物品が、主溝部を基準により折れ曲がりやすくなり、より一層フィット性に優れる。
【００４７】
また、上記の第１実施形態では、圧搾部２３は、コアラップ１１、拡散シート１３及び吸収コア９を圧搾することにより形成されているが、本開示の別の実施形態に従う吸収性物品では、上記圧搾部は、吸収コアのみを圧搾することにより形成される。
【００４８】
なお、本開示の別の実施形態の吸収性物品においては、主溝部１９の底部２０を形成し且つ前記厚さ方向に延在する部分（以下、「主溝部の低坪量領域」という。）の坪量が０ｇ／ｍ2である場合を含む。このような主溝部の低坪量領域の坪量が０ｇ／ｍ2である場合に、吸収体が上記の圧搾部を有するときは、前記圧搾部は、主溝部の幅方向における中央部において、吸収コアの一方の面側及び他方の面側に位置するコアラップを圧搾することにより形成される。なお、コアラップは、１枚のコアラップで、吸収コアの一方の面及び他方の面を覆うように配置しても、２枚のコアラップで吸収コアの一方の面及び他方の面を覆うように配置してもよい。
【００４９】
さらに、本開示の別の実施形態に従う吸収性物品では、吸収体の一方の面を形成するコアラップが、主溝部の底部に、接着剤により接合されている。そうすることによっても、上記と同様の効果を得ることができる。
【００５０】
なお、本開示の吸収性物品において、主溝部の低坪量領域の坪量が０ｇ／ｍ2である場合は、主溝部の底部は、吸収コアの他方の面側に存在する資材（例えば、コアラップ等）を意味する。また、本開示の吸収性物品において、主溝部の低坪量領域の坪量が０ｇ／ｍ2である場合は、吸収体が、主溝部において、吸収コアの一方の面側に配置されたコアラップが、例えば、接着剤により、吸収コアの他方の面側に配置されたコアラップに接合されていてもよい。
【００５１】
また、上記の第１実施形態では、主溝部１９において、コアラップ１１が、主溝部１９の底部２０に接合されているが、本開示の吸収性物品では、主溝部において、コアラップが、主溝部の全体、すなわち、主溝部の底部及び側部に接合されていることが好ましい。そうすることにより、吸収性物品が液体を繰り返し吸収した後においても、主溝部がその形状を一層保ちやすくなり、その結果、吸収性物品がより着用感に優れる。なお、上記側部は、主溝部のうち、一方の面と、底部とを連結する部分を意味する。
【００５２】
本開示の吸収性物品では、主溝部は、吸収体の厚さの、好ましくは０．５〜３．０倍、より好ましくは０．８〜２．５倍、そしてさらに好ましくは１．０〜２．０倍の幅を有する。主溝部の幅が上記範囲内にあると、吸収性物品が液体を吸収した後に、主溝部がその形状を保持しやすい。
【００５３】
本明細書において、吸収体の厚さ（ｍｍ）は、以下の通り測定される。
株式会社大栄科学精器製作所製  ＦＳ−６０ＤＳ［測定面４４ｍｍ（直径），測定圧３ｇ／ｃｍ2］を準備し、標準状態（温度２３±２℃，相対湿度５０±５％）の下、吸収体の異なる５つの部位を加圧し、各部位における加圧１０秒後の厚さを測定し、５つの測定値の平均値を吸収体の厚さとする。
【００５４】
第１実施形態では、吸収体７が、主溝部１９を、短手方向ＬAにおいて、右側領域ＲＡ、左側領域ＬＡ及び中央領域ＣＡの全ての領域に備える。そうすることにより、吸収体７に到達した液体３１を、吸収体７の広範囲に拡散させ、吸収体７の広範囲で吸収しやすくなり、吸収された液体が、液透過性シート３の表面から戻りにくくなる。また、吸収性物品１が、液体を吸収する前及び吸収した後の両方において、フィット性に優れる。その結果、吸収性物品１が、着用感に優れる。
【００５５】
第１実施形態では、吸収体７が、従溝部２１を、前胴周り領域ＦＷと、後胴周り領域ＲＷと、股部領域Ｃとの３領域に備える。そうすることにより、吸収性物品１が、長手方向のフィット性に優れる。また、主溝部１９を通って長手方向ＬOに拡散した液体が、従溝部２１を通って終端２５から短手方向ＬAに拡散し、吸収体７の広範囲で吸収されるので、吸収性物品１が、リウェット性に優れる。また、短手方向ＬAに吸収された液体により、従溝部２１が、液体の量に対応して狭くなるか、又はほぼ消失した後でも、吸収体７に液体３１がさらに到達すると、狭くなるか、又はほぼ消失した従溝部２１の基端を通過しつつ、主溝部１９を通って、吸収体７の長手方向ＬOにさらに拡散され、吸収体７のより長手方向ＬO端部に位置する従溝部２１を通って終端２５から毛細管現象により短手方向ＬAに拡散し、吸収体７の広範囲で吸収される。その結果、吸収性物品１が、リウェット性により一層優れるので、吸収性物品１が、着用感に優れる。
【００５６】
第１実施形態では、コアラップ１１が、従溝部２１の底部２２に接合されていない。そうすることにより、短手方向ＬAに吸収された液体により、従溝部２１が、液体の量に対応して狭くなるか、又はほぼ消失した後でも、吸収体７に液体３１がさらに到達すると、狭くなるか、又はほぼ消失した従溝部２１の基端を通過しつつ、主溝部１９を通って、吸収体７の長手方向ＬOにさらに拡散され、吸収体７のより長手方向ＬO端部に位置する従溝部２１を通って終端２５から短手方向ＬAに拡散し、吸収体７のさらに広範囲で吸収される。その結果、吸収性物品がリウェット性に一層優れ、着用感に優れる。
【００５７】
第１実施形態では、図３に示すように、従溝部２１が短手方向ＬAにそれぞれ左右対称に延びるよう形成されているが、本開示の別の実施形態では、従溝部の形態はこれに限られない。図１１（ａ）及び図１１（ｂ）は、それぞれ第１実施形態とは別の実施形態に従う従溝部の概略図である。本開示の別の実施形態では、図１１（ａ）に示すように、従溝部が主溝部から左右交互に延びている。本開示のさらに別の実施形態では、図１１（ｂ）に示すように、主溝部１９から短手方向に延びる従溝部２１がさらに長手方向に枝分かれした分岐部２１′を有する。分岐部２１′の形状や数は、特に限定されない。従溝部２１がこのような分岐部２１′を有することにより、従溝部２１に到達した液体が、さらに分岐して流れて、吸収コアのより広範囲に拡散し得る。また、本開示のさらに別の実施形態では、従溝部が長手方向及び短手方向以外の方向に延びている。
【００５８】
このように本開示の吸収性物品において、従溝部は、主溝部と基端で連結しており、終端の先に吸収コアが存在していればよいが、従溝部は、好ましくは、主溝部の単位長さ当たり０．０５〜１本／ｃｍ、さらに好ましくは、主溝部の単位長さ当たり０．１〜０．５本／ｃｍ存在している。このように従溝部の本数が所定の範囲内にあるように設けられていると、吸収体に供給された液体が従溝部に到達して長手方向以外の方向に拡散された際に、液体が区分された従溝部の終端を介して、毛細管現象により吸収コアの内部により効果的に吸収されやすくなるため、吸収体のリウェット性をより一層向上させることができる。
【００５９】
従溝部の幅は特に限定されないが、従溝部の幅をＷｓとし、前記主溝部の全長をＬｐとし、１本の主溝部の片側に設けられた従溝部の本数をｎとしたとき、０．０５Ｌｐ／ｎ≦Ｗｓ≦０．５０Ｌｐ／ｎを満足することが好ましい。従溝部の幅が所定の範囲内にあるように設けられていると、前記吸収体に供給された体液が前記従溝部に到達して長手方向以外の方向に拡散された際に、前記体液が、区分された従溝部の終端を介して、毛細管現象により吸収コアの内部により効果的に吸収されやすくなるため、前記吸収体の吸収性（特に、吸収速度）やリウェット性をより一層向上させることができる効果を有する。
【００６０】
また、本開示の吸収性物品において、従溝部の終端は、好ましくは、吸収体の単位面積当たり０．０５〜１個／ｃｍ２、より好ましくは０．１〜０．５個／ｃｍ２存在している。このように従溝部の終端の個数が所定の範囲内にあるように設けられていると、上記と同様の理由により吸収体のリウェット性をより一層向上させることができる。
【００６１】
第１実施形態では、拡散シート１３が、吸収コア９の肌側面１５及びコアラップ１１の間に配置されているが、本開示の別の実施形態では、拡散シートが、コアラップの、吸収コアの一方の面と反対側の面の上、すなわち、コアラップの外側に配置されている。係る場合、拡散シートが、吸収コア９及びコアラップ１１と共に圧搾されている。そうすることにより、主溝部を通って、吸収性物品の長手方向に拡散した液体が、拡散シートに直に接することになるので、液体の拡散速度がより速くなる傾向がある。
【００６２】
本開示の別の実施形態に従う吸収性物品では、拡散シートが、吸収コアの他方の面と、コアラップの間に配置されており、そして本開示のさらに別の実施形態に従う吸収性物品では、拡散シートが、コアラップの、吸収コアの他方の面と反対側の面の上に配置されている。本開示のさらに別の実施形態に従う吸収性物品は、拡散シートを含まない。
【００６３】
上記拡散シートは、吸収性物品の剛性を下げることを目的とし、拡散シートの厚さ方向に貫通する複数のスリット部を有していてもよい。拡散シートがスリット部を有することにより、拡散シートが、主溝部の底部に接合された場合に、スリット部が変形（開口）し、吸収体の歪みが少なくなるからである。
【００６４】
上記スリット部としては、直線状のスリット部、例えば、吸収性物品の長手方向に延びるスリット部、吸収性物品の短手方向に延びるスリット部、非直線状のスリット部、例えば、十字型のスリット部、湾曲状のスリット部等が挙げられる。
主溝部に形成される歪みを減少させる観点からは、吸収性物品の長手方向に延びるスリット部が好ましく、そして従溝部に形成される歪みを減少させる観点からは、吸収性物品の短手方向に延びるスリット部が好ましい。
図１２は、複数の長手方向型のスリット部４１を有する拡散シート１３の平面図である。
【００６５】
本開示の吸収性物品において、吸収性物品の吸収体を含む領域が、その長手方向及び短手方向において、好ましくは５．０〜３５．０ｍＮ・ｍ、そしてより好ましくは１０．０〜３４．０ｍＮ・ｍの曲げ剛性値を有する。上記曲げ剛性値が上記の範囲にあることにより、吸収性物品が、着用者の体に沿って変形しやすく、フィット性に優れ、ひいては着用感に優れる。
【００６６】
本明細書では、曲げ剛性は、以下の通り測定される。
（１）恒温恒湿室（２０±２℃・６０±５％ＲＨ）に、イマダ製トルク試験機，ＥＸ−０７６２を準備する。ロードセルは、引張・圧縮の５０Ｎにセットし、トルクは１Ｎにセットする。
（２）サンプルを、表１に示されるとおりに切り出す。
（３）サンプルの測定方向両端に、治具間隔が表１に示すとおりとなるように、５０ｍｍ×２０ｍｍのサイズの布テープを、その長手方向が測定方向と直交するように貼付し、サンプルの測定方向両端につかみ部を形成する。
（４）サンプルを治具に取付け、表１に記載の条件にてサンプルを回転させ、その最大トルク値（ｍＮ・ｍ）を測定する。
（５）測定は、異なるサンプルにて５回実施し、それらの平均値を曲げ剛性値として採用する。
【００６７】
【表１】
0006541469.tif 000002
【００６８】
本開示の吸収性物品において、吸収コア及びコアラップのそれぞれは、当技術分野で通常用いられているものを特に制限なく採用することができる。吸収コアとしては、例えば、パルプ繊維、高吸収性ポリマー等が挙げられ、そしてコアラップとしては、例えば、ティッシュが挙げられる。
【００６９】
本開示の吸収性物品において、吸収コアは、好ましくは１００〜４００ｇ／ｍ2、そしてより好ましくは２００〜３００ｇ／ｍ2の平均坪量を有する。
主溝部及び従溝部のそれぞれの底部を形成し且つ厚さ方向に延在する部分（低坪量領域）は、上記平均坪量の、好ましくは８０質量％以下、より好ましくは６０質量％以下、そしてさらに好ましくは４０質量％以下の坪量を有する。本開示の効果の観点からである。低坪量領域は、上記平均坪量の、好ましくは５％以上、より好ましくは１０％以上、そしてさらに好ましくは２０％以上の坪量を有する。吸収体としての構造を維持する観点からである。
【００７０】
本開示の吸収性物品が拡散シートを含む実施形態では、拡散シートは、当技術分野で通常用いられているものを特に制限なく採用することができる。
上記拡散シートとしては、特開２０１３−１５０７９９号に記載の不織布シート、すなわち、叩解パルプ（ａ）と、再生セルロース（ｂ）とを、それぞれ、２０〜４０質量部及び１０〜７０質量部の比率において含む不織布シートであって、叩解パルプ（ａ）が、フィブリル化され、１．０〜５．０ｍｍの範囲の、重さ加重平均繊維長を有し、そして不織布シートが、５０〜２８０ｍｇ／ｃｍ3の密度を有することを特徴とする不織布シートが挙げられる。
【００７１】
上記拡散シートとしては、２５ｍｍ〜６４ｍｍの平均繊維長を有する親水性繊維を含む第１繊維層と、２５ｍｍ〜６４ｍｍの平均繊維長を有する親水性繊維を含む第２繊維層と、それらの間のパルプを含むパルプ繊維層とを含む積層シートであることが好ましい。また、上記積層シートは、第１繊維層、パルプ繊維層及び第２繊維層を、水流によって交絡されることにより形成されたものであることが好ましい。上記積層シートは、第１繊維層、パルプ繊維層及び第２繊維層を、接着剤を用いずに連結させたものであることがさらに好ましい。
【００７２】
なお、上記平均繊維長は、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される平均繊維長を意味する。
【００７３】
本開示の吸収性物品における低坪量領域を有する吸収コアは、例えば、溝部に対応する領域に突起を有する凹部を含む型に、吸収コアを構成する材料（たとえばパルプと高吸収性ポリマー）を堆積することにより形成することができる。具体的には、同一出願人の特開２０１０−２３３８３９号、特開２０１４−１３６１２６号等に記載の方法に従って形成することができる。
【実施例】
【００７４】
以下、例を挙げて本開示を説明するが、本開示はこれらの例に限定されるものではない。
［製造例１］
パルプ（坪量：２００ｇ／ｍ2）と、高吸収性ポリマー（坪量：２５０ｇ／ｍ2）とを含む、３５０ｍｍ×１２０ｍｍ（長手方向×短手方向）のサイズの吸収コアＮｏ．１を製造した。吸収コアＮｏ．１は、一方の面に、３本の主溝部（幅：５ｍｍ）が、２０ｍｍの間隔で配置されており、そして９本の従溝部（幅：５ｍｍ）が、３０ｍｍの間隔で、左右対称に７．５ｍｍの長さで配置されていた。主溝部及び従溝部のそれぞれは、８０ｇ／ｍ2の坪量を有していた。
【００７５】
吸収コアＮｏ.１を、ホットメルト接着剤を間に挟んで、コアラップとしての２枚のティッシュ（坪量：１６ｇ／ｍ2，４００ｍｍ×１５０ｍｍ）で覆った。２枚のティッシュに覆われた吸収コアＮｏ．１を油圧プレス機でプレスすることにより吸収コアの厚さを調整し、次いで、２枚のティッシュに覆われた吸収コアＮｏ．１の主溝部に、幅３ｍｍ且つ長手方向に連続するエンボス部を接合部として形成し、吸収体Ｎｏ．１を形成した。吸収体Ｎｏ．１の厚さを表２に示す。
吸収体Ｎｏ．１の第１面（吸収コアの一方の面側の面）に液透過性シート（エアスルー不織布）を貼り付け、そして第２面（吸収コアの他方の面側の面）に液不透過性シート（ポリエチレンフィルム）を貼り付けることにより、簡易の吸収性物品Ｎｏ．１を製造した。
【００７６】
［製造例２］
吸収コアＮｏ．１の一方の面と、ティッシュとの間に、拡散シートを加えた以外は、製造例１と同様にして、吸収性物品Ｎｏ．２を製造した。なお、拡散シートは、２５ｍｍ〜６４ｍｍの平均繊維長を有する親水性繊維を含む第１繊維層と、２５ｍｍ〜６４ｍｍの平均繊維長を有する親水性繊維を含む第２繊維層と、それらの間のパルプを含むパルプ繊維層とを含む積層シート（坪量：５０ｇ／ｍ2）であった。
【００７７】
［製造例３］
主溝部を形成したが、エンボス部を形成しなかった点と、従溝部を形成しなかった点とを除いて、製造例１と同様にして、吸収性物品Ｎｏ．３を製造した。
［製造例４］
短手方向に隣接する従溝部同士を連結させ、溝部を格子状に形成した点を除いて、製造例１と同様にして、吸収性物品Ｎｏ．４を製造した。
【００７８】
［実施例１及び２，並びに比較例１及び２］
吸収性物品Ｎｏ．１〜Ｎｏ．４に、以下に規定する吸収性試験を行い、吸収速度、リウェット量、及び液透過性シート側の拡散長を評価した。結果を表２に示す。
【００７９】
［吸収性試験］
（１）吸収性物品を、側面視が略Ｕ字型であるＵ字器具にセットする。なお、吸収性物品は、Ｕ字器具に、吸収体の長手方向の中央位置と、Ｕ字器具中央部（最も高さが低い位置）との位置を合わせるようにセットする。
【００８０】
＜第１サイクル＞
（２）吸収体の中央位置に、ビュレットから、８０ｍＬの人工尿（１回目）を、８０ｍＬ／１０秒の速度で注入する。
（３）１回目の人工尿の注入開始から、Ｕ字器具内の人工尿がなくなるまでの時間を、吸収時間（８０ｍＬ）として記録する。
（４）１回目の人工尿の注入開始から３分後、吸収性物品の液透過性シートにおいて、人工尿が拡散した領域の輪郭（８０ｍＬ）を記録する。
【００８１】
＜第２サイクル＞
（５）１回目の人工尿の注入開始から１０分後、吸収体の中央位置に、ビュレットから、８０ｍＬの人工尿（２回目）を、８０ｍＬ／１０秒の速度で注入する。
（６）２回目の人工尿の注入開始から、Ｕ字器具内の人工尿がなくなるまでの時間を、吸収時間（１６０ｍＬ）として記録する。
（７）２回目の人工尿の注入開始から３分後、吸収性物品の液透過性シートにおいて、人工尿が拡散した領域の輪郭（１６０ｍＬ）を記録する。
【００８２】
＜第３サイクル＞
（８）  （５）〜（７）の操作を繰り返し、吸収時間（２４０ｍＬ）を測定し、輪郭（２４０ｍＬ）を記録する。
＜第４サイクル＞
（９）  （５）〜（７）の操作を繰り返し、吸収時間（３２０ｍＬ）を測定し、輪郭（３２０ｍＬ）を記録する。
【００８３】
（１０）４回目の人工尿の注入開始から４分後、Ｕ時器具から吸収性物品を取り出し、アクリル製の平板上に、液透過性シートが上面となるように吸収性物品を拡げて１分間静置する。
（１１）４回目の人工尿の注入開始から５分後、１００ｍｍ×１００ｍｍのろ紙６０ｇを、人工尿注入点を中心として吸収性物品の液透過性シート上に静置する。さらに、その上に３．５ｋｇ、１００ｍｍ×１００ｍｍ×５０ｍｍ（高さ）の錘を静置する。なお、ろ紙については事前に試験前の質量を測定する。
（１２）４回目の人工尿の注入開始から８分後、錘を取り除いて、ろ紙の質量を測定し、試験前のろ紙の質量を差し引き、その差分をリウェット量とする。
（１３）人工尿が拡散した領域の輪郭（１６０ｍＬ〜３２０ｍＬ）から、吸収性物品の長手方向の人工尿の拡散長を測定する。
【００８４】
なお、人工尿は、イオン交換水１０Ｌに、尿素２００ｇ、塩化ナトリウム８０ｇ、硫酸マグネシウム８ｇ、塩化カルシウム３ｇ及び色素：青色１号約１ｇを溶解させることにより調製した。
【００８５】
【表２】
0006541469.tif 000003
【００８６】
４サイクルの吸収性試験を終えた吸収性物品Ｎｏ．１〜Ｎｏ．４を、液透過性シートが内側になるように、長手方向及び短手方向に変形させてみたところ、吸収性物品Ｎｏ．３は、吸収性試験を開始する前に比べて短手方向への変形がしにくくなっていたが、吸収性物品Ｎｏ．１、Ｎｏ．２及びＮｏ．４は、吸収性物品Ｎｏ．３よりも、その短手方向に変形しやすかった。４サイクルの吸収性試験を終えた後に、吸収性物品Ｎｏ．１、Ｎｏ．２及びＮｏ．４では、主溝部が残存しているためであると考えられる。
【００８７】
また、吸収性物品Ｎｏ．１及びＮｏ．２は、吸収性物品Ｎｏ．３と比較して、リウェット量が顕著に少なかった。特に、拡散長については、Ｎｏ．２は、Ｎｏ．３より長い傾向があった。エンボス部を有する主溝部が、繰り返し人工尿を吸収しても消失しにくく、人工尿を長手方向に拡散させたためであると考えられる。
また、吸収性物品Ｎｏ．１及びＮｏ．２は、吸収性物品Ｎｏ．４と比較して、吸収速度は大差なく、リウェット量が少なかった。従溝部が終端を有することにより、毛細管現象により人工尿を吸収体内により確実に吸収させたためであると考えられる。
【００８８】
［製造例５］
拡散シートを、図１２に示されるような、長手方向に延びる、複数のスリット部を有するものに変更した以外は、製造例２と同様にして、吸収性物品Ｎｏ.５を製造した。
［製造例６］
主溝部及び従溝部を形成しなかった以外は、製造例２と同様にして、吸収性物品Ｎｏ．６を製造した。
【００８９】
［実施例２及び３、並びに比較例３］
吸収性物品Ｎｏ．２、５及び６について、長手方向及び短手方向の曲げ剛性値を測定した。結果を表３に示す。なお、曲げ剛性値は、本願明細書に記載の方法に従って測定された。
【００９０】
【表３】
0006541469.tif 000004
【００９１】
主溝部及び従溝部を有する吸収性物品Ｎｏ．２は、溝部を有しない吸収性物品Ｎｏ．６と比較して、曲げ剛性値が低く、フィット性に優れる。また、複数のスリット部を有する拡散シートを備える吸収性物品Ｎｏ．５は、スリット部を有しない吸収性物品Ｎｏ．２と比較して、曲げ剛性値が下がり、フィット性により優れることが分かる。
【符号の説明】
【００９２】
１    吸収性物品
３    液透過性シート
５    液不透過性シート
７    吸収体
９    吸収コア
１１    コアラップ
１３    拡散シート
１５    肌側面
１７    着衣側面
１８    溝部
１９    主溝部
１９ａ    低坪量領域
２０    底部
２１    従溝部
２１′    分岐部
２１ａ    低坪量領域
２２    底部
２３    圧搾部
２４    基端
２５    終端
３１    （吸収体に到達した）液体
３３    （吸収された）液体
４１    スリット部
ＬO    長手方向
ＬA    短手方向
ＶＬ1，ＶＬ2    仮想線
ＲＡ    右側領域
ＬＡ    左側領域
ＣＡ    中央領域
【図１】
0006541469.tif 000005
【図２】
0006541469.tif 000006
【図３】
0006541469.tif 000007
【図４】
0006541469.tif 000008
【図５】
0006541469.tif 000009
【図６】
0006541469.tif 000010
【図７】
0006541469.tif 000011
【図８】
0006541469.tif 000012
【図９】
0006541469.tif 000013
【図１０】
0006541469.tif 000014
【図１１】
0006541469.tif 000015
【図１２】
0006541469.tif 000016
【図１３】
0006541469.tif 000017